(57)【要約】【課題】照度センサを必要とせず、カメラを利用して周囲の明るさを検知し、端末の置かれた状況を特定して必要な音量設定を行うことが可能なカメラ付き携帯電子機器を提供する。【解決手段】本発明にかかるカメラ付き携帯電子機器１００は、筐体１２２と、筐体の対向する面にそれぞれ配置され、被写界の光量を測定して光量に応じたレベルのインカメラ輝度信号・アウトカメラ輝度信号をそれぞれ出力するインカメラ１２４およびアウトカメラ１２６と、筐体のうちアウトカメラ１２６と同一の面に配置され音声を出力するスピーカ１２８と、インカメラ輝度信号・アウトカメラ輝度信号のレベルに応じてスピーカ１２８の音量を制御する音量制御部１３０と、を備えることを特徴とする。【選択図】図１
2011176565.tif 000002
【特許請求の範囲】
【請求項１】
筐体と、
前記筐体の対向する面にそれぞれ配置され、被写界の光量を測定して該光量に応じたレベルの第１および第２の輝度信号をそれぞれ出力する第１および第２の２つのカメラと、
前記筐体のうち第２のカメラと同一の面に配置され音声を出力するスピーカと、
第１および第２の輝度信号のレベルに応じて前記スピーカの音量を制御する音量制御部と、
を備えることを特徴とするカメラ付き携帯電子機器。
【請求項２】
前記音量制御部は、第１の輝度信号より第２の輝度信号のレベルが低い場合には、設定されている音量より大きい音量で音声を出力することを特徴とする請求項１に記載のカメラ付き携帯電子機器。
【請求項３】
前記音量制御部は、第１の輝度信号と第２の輝度信号との和信号のレベルが所定の和信号閾値より小さい場合には、設定されている音量より大きい音量で音声を出力することを特徴とする請求項１に記載のカメラ付き携帯電子機器。
【請求項４】
前記音量制御部は、第１の輝度信号より第２の輝度信号のレベルが低く、第２の輝度信号レベルが所定の第２輝度閾値より低い場合には、設定されている音量より大きい音量で音声を出力することを特徴とする請求項１に記載のカメラ付き携帯電子機器。
【請求項５】
前記音量制御部は、第１の輝度信号より第２の輝度信号のレベルが低く、第１の輝度信号レベルが所定の第１輝度閾値より高い場合には、設定されている音量より大きい音量で音声を出力することを特徴とする請求項１に記載のカメラ付き携帯電子機器。
【請求項６】
前記音量制御部は、設定されている音量より大きい音量で音声を出力する際、漸次に音量を大きくすることを特徴とする請求項２から５のいずれか１項に記載のカメラ付き携帯電子機器。
【請求項７】
前記筐体は、ストレート式、スライド式あるいは折り畳み式であることを特徴とする請求項１から６のいずれか１項に記載のカメラ付き携帯電子機器。
【発明の詳細な説明】
【技術分野】
【０００１】
本発明は、カメラ付き携帯電子機器に関するものである。
【背景技術】
【０００２】
例えば特許文献１には、携帯端末において、周辺の明るさを検出する照度検出手段と、この照度検出手段により検出された明るさに基づいて、報知音の音量を制御する制御手段とが備えられている。特許文献１によれば、携帯端末のケース本体には開閉自在な蓋体を備える受信装置であって、蓋体の開閉状態を検出する開閉検出手段をさらに備え、制御手段は、開閉検出手段により検出された蓋体の開閉状態に基づいて、報知音の音量を制御する。
【０００３】
このように、特許文献１では、端末の周辺の明るさや端末の開閉状態に応じて報知音の音量を制御することで、ユーザの利便性を高めている。
【先行技術文献】
【特許文献】
【０００４】
【特許文献１】特開平６−１９７０６７号公報
【発明の概要】
【発明が解決しようとする課題】
【０００５】
しかし特許文献１に記載のような技術では、明るさ検知用として照度センサが必要である。また、照度センサは１つであるため、周囲明るさ情報を得ることはできるものの、端末の姿勢までは検知できない。開閉検出手段によれば、端末の開閉状態を検出することは可能であるものの、端末の開閉状態に拘らず、端末の姿勢や周囲の環境によっては、音量を変更すべき場合がある。
【０００６】
例えばテーブル上に端末のスピーカ面が接して塞がれた状態になっている場合には、音声が聞き取りにくくなっているため、音量を上げてユーザの利便性を高めるべきである。しかしながら、特許文献１に記載の技術では、かかる状況を検知できず、着信音等が設定音量通りに出力され、ユーザの利便性を高めることができない。
【０００７】
本発明は、このような課題に鑑み、照度センサを必要とせず、カメラを利用して周囲の明るさを検知し、端末の置かれた状況を特定して必要な音量設定を行うことが可能なカメラ付き携帯電子機器を提供することを目的としている。
【課題を解決するための手段】
【０００８】
上記課題を解決するために、本発明にかかるカメラ付き携帯電子機器の代表的な構成は、筐体と、筐体の対向する面にそれぞれ配置され、被写界の光量を測定して光量に応じたレベルの第１および第２の輝度信号をそれぞれ出力する第１および第２の２つのカメラと、筐体のうち第２のカメラと同一の面に配置され音声を出力するスピーカと、第１および第２の輝度信号のレベルに応じてスピーカの音量を制御する音量制御部と、を備えることを特徴とする。
【０００９】
上記の構成によれば、照度センサを必要とせず、２つのカメラを利用して周囲の明るさを検知し、端末の置かれた状況を特定して必要な音量設定を行うことが可能である。
【００１０】
上記の音量制御部は、第１の輝度信号より第２の輝度信号のレベルが低い場合には、設定されている音量より大きい音量で音声を出力するとよい。
【００１１】
上記構成により、第１のカメラが明るい周囲光量を検知し、スピーカと同一の面に配置された第２のカメラが周囲光量を検知できない状況であることがわかる。つまり、カメラ付き携帯電子機器が例えばテーブル上にスピーカを下にして、スピーカが塞がれた状態で置かれていることがわかる。
【００１２】
したがって、ＴＶなどの動画視聴中・音楽視聴中・着信音鳴動中に端末をテーブルに置くと自動的に音量をボリュームアップし、端末をテーブルから取り上げると自動的に音量をボリュームダウンして音量を均一化することが可能となる。
【００１３】
上記の音量制御部は、第１の輝度信号と第２の輝度信号との和信号のレベルが所定の和信号閾値より小さい場合には、設定されている音量より大きい音量で音声を出力するとよい。
【００１４】
上記の構成によれば、カメラ付き携帯電子機器が例えば鞄の中や服のポケットの中にしまわれている、あるいは暗所に放置されている場合に、音量を大きくしてユーザが気付きやすくすることができる。
【００１５】
上記の音量制御部は、第１の輝度信号より第２の輝度信号のレベルが低く、第２の輝度信号レベルが所定の第２輝度閾値より低い場合には、設定されている音量より大きい音量で音声を出力してもよい。
【００１６】
上記の構成により、第２のカメラが検知する光量が明確に小さい（暗い）場合に音量をアップさせることとなり、より緻密な音量制御が可能である。
【００１７】
上記の音量制御部は、第１の輝度信号より第２の輝度信号のレベルが低く、第１の輝度信号レベルが所定の第１輝度閾値より高い場合には、設定されている音量より大きい音量で音声を出力してもよい。
【００１８】
上記の構成により、第１のカメラが検知する光量が明確に大きい（明るい）場合に音量をアップさせることとなり、より緻密な音量制御が可能である。
【００１９】
上記の音量制御部は、設定されている音量より大きい音量で音声を出力する際、漸次に音量を大きくしてもよい。かかる構成により、大音量が急激に出力されることが防止される。
【００２０】
上記の筐体は、ストレート式、スライド式あるいは折り畳み式としてよい。
【発明の効果】
【００２１】
本発明によれば、照度センサを必要とせず、カメラを利用して周囲の明るさを検知し、端末の置かれた状況を特定して必要な音量設定を行うことが可能なカメラ付き携帯電子機器を提供可能である。
【図面の簡単な説明】
【００２２】
【図１】本発明にかかるカメラ付き携帯電子機器の実施形態を示す外観図である。
【図２】図１のカメラ付き携帯電子機器のブロック図である。
【図３】図１のカメラ付き携帯電子機器の正面図および背面図である。
【図４】図３のカメラ付き携帯電子機器が折り畳まれた状態を示す正面図および背面図である。
【図５】図２の制御部が記憶部内の音量制御プログラムによって行う、スピーカの音量制御方法を示すフローチャートである。
【図６】ストレート式のカメラ付き携帯電子機器を例示する外観図である。
【図７】スライド式のカメラ付き携帯電子機器を例示する外観図である。
【発明を実施するための形態】
【００２３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２４】
（カメラ付き携帯電子機器）
図１は、本発明にかかるカメラ付き携帯電子機器の実施形態を示す外観図である。カメラ付き携帯電子機器１００は図１に示すように折り畳み式である。カメラ付き携帯電子機器１００は、本実施形態ではＰＨＳ（Personal Handy-phone system）とするが、携帯電話機、ＰＤＡ（Personal Digital Assistance）等としてもよい。図２は、図１のカメラ付き携帯電子機器のブロック図である。図３は図１のカメラ付き携帯電子機器１００の正面図（図３（ａ））および背面図（図３（ｂ））である。
【００２５】
図２に示すように、カメラ付き携帯電子機器１００は、制御部１０２を備え、これは、中央処理装置（ＣＰＵ）を含む半導体集積回路により装置１００全体を管理および制御する。制御部１０２は記憶部１０４に記憶されたプログラムを動作させて、所定の機能を実施する。
【００２６】
記憶部１０４は、ＲＯＭ、ＲＡＭ、ＥＥＰＲＯＭ、不揮発性ＲＡＭ、フラッシュメモリなどで構成され、端末に搭載される各種プログラム（アプリケーション）等を記憶する。記憶部１０４は、音量制御プログラムを記憶している。
【００２７】
表示部１０８は、液晶ディスプレイ（ＬＣＤ：Liquid Crystal Display）、ＥＬ(Electro Luminescence)ディスプレイ等とそのコントローラで構成され、アプリケーションの動作画面や、通信相手の電話番号、アドレス帳、待受画像などを表示することができる。
【００２８】
キー操作部１１０は、キーボード、十字キー、ジョイスティック、タッチパネル等で構成され、ユーザの操作入力を受け付ける。キー操作部１１０の操作により、音量制御プログラムは、外部から記憶部１０４に追加可能であり、無線によってダウンロードすることも可能である。
【００２９】
音声入力部１１２は、マイク等の音声認識手段で構成され、入力されたユーザの音声を端末内で処理可能な電気信号に変換する。音声出力部１１４は、受信した通話相手の音声信号を音声に変えて出力する。
【００３０】
無線通信部１１６は、アンテナ１１８を介して、例えばＴＤＭＡ／ＴＤＤの無線通信方式にて基地局１２０との無線通信を確立し、通信相手との音声通信やＷｅｂサーバとのデータ通信を遂行する。
【００３１】
楽曲再生部１２１は、記憶部１０４に記憶された楽曲データを再生し、スピーカ１２８から出力する。ＴＶ受信部１２３はＴＶチューナであり、無線通信部１１６を介して受信したＴＶ画像を表示部１０８に出力し、ＴＶ音声をスピーカ１２８から出力する。
【００３２】
（インカメラおよびアウトカメラ）
図１〜図３に示すように、カメラ付き携帯電子機器１００は、筐体１２２と、筐体１２２の対向する面にそれぞれ配置された２つのカメラを有する。それらは、被写界の光量を測定して光量に応じたレベルの第１および第２の輝度信号をそれぞれ出力する第１のカメラ（インカメラ１２４）および第２のカメラ（アウトカメラ１２６）である。
【００３３】
インカメラ１２４およびアウトカメラ１２６は、いずれも、被写界を撮像した画像データを、ＹＵＶフォーマットにて制御部１０２に送り、Ｙデータから輝度信号が抽出される。以下、第１の輝度信号をインカメラ輝度信号、第２の輝度信号をアウトカメラ輝度信号と呼ぶ。
【００３４】
図１および図３に示すように、インカメラ１２４はカメラ付き携帯電子機器１００が折り畳まれていない、開かれた状態においては、表示部１０８と同じ面に配置されることとなる。
【００３５】
図４は図３のカメラ付き携帯電子機器１００が折り畳まれた状態を示す正面図（図４（ａ））および背面図（図４（ｂ））である。図４に示すように、カメラ付き携帯電子機器１００が折り畳まれた場合には、インカメラ１２４は、表示部１０８とは異なる面に配置されることとなる。しかしインカメラ１２４とアウトカメラ１２６は、カメラ付き携帯電子機器１００の開閉状態に拘らず、筐体１２２の対向する面に配置される関係である。
【００３６】
図２および図３に示すように、カメラ付き携帯電子機器１００はさらに、筐体１２２のうちアウトカメラ１２６と同一の面に配置され音声を出力するスピーカ１２８を備える。スピーカ１２８は、着信音や、ＴＶなどの動画や音楽の視聴音、キー操作部１１０の操作音、アラーム音等を出力可能である。
【００３７】
またカメラ付き携帯電子機器１００はさらに、インカメラ輝度信号およびアウトカメラ輝度信号のレベルに応じてスピーカ１２８の音量を制御する音量制御部１３０を備える。
【００３８】
上記の構成によれば、照度センサを必要とせず、２つのカメラ１２４、１２６を利用して周囲の明るさを検知し、カメラ付き携帯電子機器１００の置かれた状況を特定して必要な音量設定を行うことが可能である。
【００３９】
（音量制御方法）
図５は、図２の制御部１０２が記憶部１０４内の音量制御プログラムによって行う、スピーカ１２８の音量制御方法を示すフローチャートである。まず、インカメラ１２４・アウトカメラ１２６によって、周囲（被写界）の光量が測定される（ステップＳ２００）。インカメラ１２４・アウトカメラ１２６によって撮像された被写界の画像データは、ＹＵＶフォーマットにて制御部１０２に送られ、Ｙデータからインカメラ輝度信号・アウトカメラ輝度信号が抽出される（ステップＳ２１０）。
【００４０】
次に、ステップＳ２２０において、インカメラ輝度信号よりアウトカメラ輝度信号のレベルが高い（ステップＳ２２０の「ＮＯ」）と判定されたら、アウトカメラ１２６が配置されているスピーカ１２８が塞がれていない状態と推定される。
【００４１】
スピーカ１２８が塞がれていないのであれば、通常の設定されている音量でスピーカ１２８から音声が出力すればよい。ただし本実施形態では、それを実行するステップＳ２３０に移行する前にステップＳ２２５に進む。ステップＳ２２５では、インカメラ輝度信号とアウトカメラ輝度信号との和信号のレベルが所定の和信号閾値より大きければ（ステップＳ２２５の「ＹＥＳ」）、予定どおりステップＳ２３０に進む。しかし上記の和信号のレベルが所定の和信号閾値より小さい場合（ステップＳ２２５の「ＮＯ」）には、ステップＳ２６０へ進み、設定されている音量より大きい音量で音声を出力する。
【００４２】
ステップＳ２２５の「ＮＯ」に進むケースは、インカメラ１２４・アウトカメラ１２６のいずれから得られる光量も少ないことを意味する。これは、カメラ付き携帯電子機器１００が例えば鞄の中や服のポケットの中にしまわれている、あるいは暗所に放置されている場合と推定される。その場合には上記のようにステップＳ２６０に進み、音量を大きくしてユーザが気付きやすくすることが利便性を高めるうえで有効である。
【００４３】
ステップＳ２２０において、インカメラ輝度信号よりアウトカメラ輝度信号のレベルが低いと判定された場合（ステップＳ２２０の「ＹＥＳ」）には、設定されている音量より大きい音量で音声を出力するとよい。これは、インカメラ１２４が明るい周囲光量を検知し、スピーカ１２８と同一の面に配置されたアウトカメラ１２６が周囲光量を検知できない状況であると推定できるからである。つまり、カメラ付き携帯電子機器１００が例えばテーブル上にスピーカ１２８を下にして、スピーカ１２８が塞がれた状態で置かれていると推定できるからである。
【００４４】
したがって、本実施携帯によれば、動画視聴中・音楽視聴中・着信音鳴動中にカメラ付き携帯電子機器１００をテーブルに置くと自動的に音量をボリュームアップし、カメラ付き携帯電子機器１００をテーブルから取り上げると自動的に音量をボリュームダウンして音量を均一化することが可能となる。
【００４５】
ただし本実施形態では、ステップＳ２２０で「ＹＥＳ」となった後には、さらにステップＳ２４０、Ｓ２５０を行う。ステップＳ２４０では、アウトカメラ輝度信号のレベルが所定のアウトカメラ閾値より低いことを確認したうえでステップＳ２５０に進む。
【００４６】
さらにステップＳ２５０では、インカメラ輝度信号レベルが所定のインカメラ閾値より高いことを確認したうえで、ステップＳ２６０に進み、設定されている音量より大きい音量で音声を出力する。
【００４７】
上記のステップＳ２４０によれば、アウトカメラ１２６が検知する光量が明確に小さい（暗い）ことを確認したうえで音量をアップさせることとなる。またステップＳ２５０によれば、さらにインカメラ１２４が検知する光量が明確に大きい（明るい）ことを確認したうえで音量をアップさせることとなる。これらのステップによって、より的確な音量制御が可能である。
【００４８】
音量制御部１３０は、ステップＳ２６０において音量を大きくする際、漸次に音量を大きくしてもよい。かかる構成により、大音量が急激に出力されることが防止される。
【００４９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５０】
本実施携帯では、筐体１２２は折り畳み式であったが、本発明は他の形式の筐体にも適用できる。例えば本発明は、図６に例示するストレート式のカメラ付き携帯電子機器３００、あるいは図７に例示するスライド式のカメラ付き携帯電子機器４００にも適用可能である。図６および図７において、図１または図３と共通の要素については同一の符号を付す。
【００５１】
図６（ａ）はストレート式のカメラ付き携帯電子機器３００の正面図、図６（ｂ）は同装置３００を背面から見た図である。図７（ａ）はスライド式のカメラ付き携帯電子機器４００を伸長した状態の正面図・側面図、図７（ｂ）は同装置４００をスライドさせて短縮した状態の正面図・側面図、図７（ｃ）は図７（ｂ）の装置４００の背面図である。
【００５２】
本発明は以上のように、２つのカメラが筐体の対向する面にそれぞれ配置されるものであれば、あらゆるタイプのカメラ付き携帯電子機器に適用可能である。
【産業上の利用可能性】
【００５３】
本発明は、カメラ付き携帯電子機器に利用することができる。
【符号の説明】
【００５４】
１００、３００、４００  …カメラ付き携帯電子機器
１０２  …制御部
１０４  …記憶部
１０８  …表示部
１１０  …キー操作部
１１２  …音声入力部
１１４  …音声出力部
１１６  …無線通信部
１１８  …アンテナ
１２０  …基地局
１２１  …楽曲再生部
１２２  …筐体
１２３  …ＴＶ受信部
１２４  …インカメラ
１２６  …アウトカメラ
１２８  …スピーカ
１３０  …音量制御部
【図１】
2011176565.tif 000003
【図２】
2011176565.tif 000004
【図３】
2011176565.tif 000005
【図４】
2011176565.tif 000006
【図５】
2011176565.tif 000007
【図６】
2011176565.tif 000008
【図７】
2011176565.tif 000009